(57)【要約】【課題】形状、寸法の異なる種々の軒樋に対応できる軒樋吊り具を提供する。【解決手段】軒樋吊り具１は、軒樋２の前耳２ｄを係止する前耳係止体２０と、軒樋２の後耳２ｂを係止する後耳係止体１０とを備え、建築構造物（壁３）に固定されるようにした軒樋吊り具１であって、前耳係止体２０と後耳係止体１０とは別体とされ、嵌合により結合される。【選択図】図１
2015045146.tif 000002
【特許請求の範囲】
【請求項１】
軒樋の前耳を係止する前耳係止体と、軒樋の後耳を係止する後耳係止体とを備え、建築構造物に固定されるようにした軒樋吊り具であって、
前記前耳係止体と前記後耳係止体とは別体とされ、嵌合により結合されることを特徴とする軒樋吊り具。
【請求項２】
請求項１において、
前記前耳係止体および前記後耳係止体のうちの一方が軒樋吊り具の長手方向に突出した凸部を備え、他方が該凸部に対応した凹部を備えて、前記凸部と前記凹部とが雌雄嵌合する結合構造となっていることを特徴とする軒樋吊り具。
【請求項３】
請求項１または２において、
前記前耳係止体および前記後耳係止体のうちの一方が係止部を備え、他方が被係止部を備え、前記係止部が前記被係止部に係止することにより、前記前耳係止体と前記後耳係止体とが相互に固定されることを特徴とする軒樋吊り具。
【発明の詳細な説明】
【技術分野】
【０００１】
本発明は、軒樋を吊り支持する軒樋吊り具に関する。
【背景技術】
【０００２】
従来の軒樋吊り具は、軒樋の前耳を係止する前耳係止部と、軒樋の後耳を係止する後耳係止部とを一体に備え、それらの相対的な位置関係が定まった構成となっている（たとえば、特許文献１参照）。つまり、形状、寸法の異なる種々の軒樋に対応して個別の軒樋吊り具が用いられることが通例となっている。
【先行技術文献】
【特許文献】
【０００３】
【特許文献１】特開２００９−１０８４７１号公報
【発明の概要】
【発明が解決しようとする課題】
【０００４】
しかしながら、軒樋には耳を含む全体の形状、寸法の種々異なる数多くの種類があり、それら数多くの種類の軒樋に対応して軒樋吊り具を生産することは、生産ラインの増大化につながるため、生産面やコスト面において決して効率的とはいえない。
【０００５】
本発明は、このような事情を考慮して提案されたもので、その目的は、形状、寸法の異なる種々の軒樋に対応できる軒樋吊り具を提供することにある。
【課題を解決するための手段】
【０００６】
上記目的を達成するために、請求項１に記載の軒樋吊り具は、軒樋の前耳を係止する前耳係止体と、軒樋の後耳を係止する後耳係止体とを備え、建築構造物に固定されるようにした軒樋吊り具であって、前耳係止体と後耳係止体とは別体とされ、嵌合により結合されることを特徴とする。
【０００７】
請求項２に記載の軒樋吊り具は、前耳係止体および後耳係止体のうちの一方が軒樋吊り具の長手方向に突出した凸部を備え、他方が該凸部に対応した凹部を備えて、凸部と凹部とが雌雄嵌合する結合構造となっていることを特徴とする。
【０００８】
請求項３に記載の軒樋吊り具は、前耳係止体および後耳係止体のうちの一方が係止部を備え、他方が被係止部を備え、係止部が被係止部に係止することにより、前耳係止体と後耳係止体とが相互に固定されることを特徴とする。
【発明の効果】
【０００９】
請求項１に記載の軒樋吊り具によれば、上述の構成となっているため、簡易な操作で軒樋吊り具を使用可能な状態に形成できる。また、前耳係止体と後耳係止体との組み合わせにより、種々の形状、寸法の軒樋に対応することができる。
【００１０】
たとえば、後耳の形状が同一で前耳の形状が異なる複数種の軒樋に対応させて、個別に軒樋吊り具を製造する必要はなく、共通の後耳係止体にそれぞれの軒樋の前耳の形状に合致した前耳係止体を組み合わせて軒樋吊り具を構成すればよい。前耳の形状が同一の複数種の軒樋についても同様である。つまり、部材を共通化できるので生産面やコスト面での効率化を図れる。
【００１１】
請求項２に記載の軒樋吊り具によれば、軒樋吊り具の長手方向に突出した凸部と、それに対応した凹部との雌雄嵌合により結合される構造となっているため、軒樋吊り具を使用可能な状態にするのに手間がかからない。後耳係止体を建築構造物に取り付けてから、その後耳係止体に前耳係止体を結合させることもできる。
【００１２】
請求項３に記載の軒樋吊り具によれば、係止部が被係止部に係止する構造であるため、結合後にはしっかりと固定でき、係止体間のずれの発生を防止できる。
【図面の簡単な説明】
【００１３】
【図１】本発明の一実施形態に係る軒樋吊り具の概略側面図である。（ａ）は結合前の状態を示した図、（ｂ）は使用可能な状態を示した図である。
【図２】（ａ）は軒樋吊り具の結合前の状態を示した要部斜視図、（ｂ）は結合過程を示した要部横断面図、（ｃ）は結合状態を示した要部横断面図である。
【図３】前耳係止体と後耳係止体の他の組み合わせ例を示す概略側面図である。
【図４】軒樋吊り具の他の結合構造を示した要部横断面図である。（ａ）は結合前の状態を示した図、（ｂ）は使用可能な状態を示した図である。
【図５】本発明の他の実施形態に係る軒樋吊り具の要部（結合構造）の説明図である。（ａ）は結合前を示した斜視図、（ｂ）は結合状態を示した要部横断面図である。
【発明を実施するための形態】
【００１４】
以下に、本発明の実施の形態について、添付図面を参照して説明する。
【００１５】
図１〜図３は、本発明の一実施形態に係る軒樋吊り具の説明図である。
【００１６】
本軒樋吊り具１に支持される軒樋２には、吊り支持される被支持部として、軒先側（後方）の後方壁２ａの上端に後耳２ｂが設けられ、前方壁２ｃの上端に前耳２ｄが設けられている（図１（ｂ）参照）。
【００１７】
軒樋吊り具１は、図１（ｂ）に示すように、軒先の壁３などの建築構造物に固定されて、軒樋２を吊り支持するものであり、軒樋２の後耳２ｂを係止する後耳係止体１０と、前耳２ｄを係止する前耳係止体２０とを結合、一体化することで使用状態に形成できるものである。
【００１８】
本実施形態のものは、前耳係止体２０、後耳係止体１０のいずれも合成樹脂で成形されている。なお、それらは金属で形成したものでもよいし、一部に金属を含んだ構成としたものでもよい。
【００１９】
前耳係止体２０は、前耳係止部２１と、その後方に配された、後耳係止体１０と連結される本体部２２とを一体に備えている。
【００２０】
本体部２２は、角柱状に形成されており、その後端には、後端端面より後方に突出した円柱状の凸部２３を備えている。また、本体部２２の横方向の両側面には、後方に延びた一対のばね状係止片２５ａを備えている。ばね状係止片２５ａの先端（後端）には、本体部２２側に向いて突出した鉤片２５ａａが形成されている。このばね状係止片２５ａは、前耳係止体２０が後耳係止体１０と結合したときに相互に固定するための、後耳係止体１０の被係止部に係止する係止部を構成する。
【００２１】
前耳係止部２１は、本体部２２の前端より斜め上方に延びるように本体部２２と一体に形成されており、その先端にはほぼ真上に向けて突出した係止突片２１ａが形成されている。
【００２２】
一方、後耳係止体１０は、後耳係止部１１と、前耳係止体２０と連結される本体部１２と、後耳係止部１１の後方に配された、後耳係止体１０を軒先の壁などに固定するための固定部１７とを備えている。
【００２３】
本体部１２は、角柱状に形成されており、その前端の端面には、前耳係止体２０の円柱状の凸部２３を受け入れるための凹部１３が形成されている。また、本体部１２の両側面には、前耳係止体２０のばね状係止片２５ａの鉤片２５ａａを受け入れる係止穴部１５ａが開設されている。この係止穴部１５ａが係止部（ばね状係止片２５ａ）に対応した被係止部を構成する。
【００２４】
後耳係止部１１は、裏側に凹所１１ｄを有し、下方に開口した形状とされており、本体部１２とほぼ平行な頂面部１１ａと、その頂面部１１ａの前後端より下方に延びた前側壁部１１ｂ、後側壁部１１ｃとを有した形状となっている。この後側壁部１１ｃは固定部１７を兼ねている。
【００２５】
凹所１１ｄには、軒樋２の後耳２ｂを受け支持する耳受け突片１１ｅと、後耳２ｂを前方より押さえる前側押さえばね片１１ｆと、後耳２ｂを上方より押さえる上側押さえばね片１１ｇとが形成されている。なお、前側押さえばね片１１ｆと上側押さえばね片１１ｇとを一体化してなる別体の金属等の板ばね片を凹所１１ｄに取り付けた構成としてもよい。
【００２６】
耳受け突片１１ｅは、後側壁部１１ｃの上下方向のほぼ中央に形成され、上向きに突出している。図１（ｂ）に示すように、軒樋２の後耳２ｂは耳受け突片１１ｅに載せ置かれ、前側押さえばね片１１ｆで前方より押さえられ、上側押さえばね片１１ｇで上方より押さえられて位置がずれないように固定される。
【００２７】
また、前側押さえばね片１１ｆの下端には、前方に開いたガイド部１１ｆａが形成され、ガイド部１１ｆａの前面にはリブ１１ｆｂが形成されている。後耳２ｂを凹所１１ｄに下方より挿入する際に、後耳２ｂがガイド部１１ｆａの下面に当たりながら前側押さえばね片１１ｆが前方に弾性変形して、挿入開口が拡大されるようになっている。後耳２ｂの全体が凹所１１ｄに挿入されると、前側押さえばね片１１ｆは弾性復帰し、後耳２ｂを前方より押さえるとともに、挿入開口を小さくして後耳２ｂが抜け落ちないようになる。
【００２８】
前耳係止体２０と後耳係止体１０とは、図２（ａ）〜（ｃ）に示すように、凸部２３を凹部１３に挿入嵌合することで結合する。ばね状係止片２５ａは、両係止体が結合する際に、外側に弾性的に開いた状態で鉤片２５ａａが後耳係止体１０の本体部１２の横方向の側面を摺りながら後耳係止体１０の後端方向に相対移動し（図２（ｂ）参照）、鉤片２５ａａが係止穴部１５ａに入り込んだときに弾性復帰する（図２（ｃ）参照）。この鉤片２５ａａと係止穴部１５ａとの係止により、前耳係止体２０と後耳係止体１０とは相互に固定される。
【００２９】
このように両部材が連結され、固定部１７が壁３に固定された軒樋吊り具１には、上述したように、軒樋２の前耳２ｄが前耳係止部２１の係止突片２１ａに掛止され、後耳２ｂが後耳係止部１１に係止されて、軒樋２は吊り支持される。また、軒樋２の前耳２ｄの下部には後方への凹み段部２ｅがあり、前耳２ｄが係止突片２１ａに係止されることで、軒樋２の前部で係止突片２１ａを上下より挟み込む形となって、下方からの押圧によっても外れにくくできる。
【００３０】
以上のように、この軒樋吊り具１は前耳係止体２０と後耳係止体１０とを結合、一体化して使用される構成であるため、分離した状態でコンパクトに保管、輸送でき、必要なときに簡単に組み立てることができる。
【００３１】
特に、本実施形態の軒樋吊り具１は、両係止体の軒樋吊り具１の長手方向の嵌合により結合される構成であるため、簡易な操作で軒樋吊り具１を使用可能な状態とすることができる。また、後耳係止体１０を建築構造物に取り付けてから、その後耳係止体１０に前耳係止体２０を結合させることもできる。
【００３２】
また、軒樋吊り具１は、係止部と被係止部との係止により両係止体が相互に固定されるようになっているので、軒樋２の支持具として使用している間に、両部材が外れたり、ずれたりすることを防止できる。
【００３３】
さらに、本実施形態では係止部がばね状係止片２５ａで構成されているため、ばね状係止片２５ａを外側に開いて引き離す操作をすれば、いったん結合固定した両係止体を分離することもできる。
【００３４】
以上のように、両係止体を結合することで軒樋吊り具１を使用可能な状態に形成できるので、凸部２３と凹部１３との雌雄嵌合構造を共通化することで、前耳係止体２０および後耳係止体１０の種々の組み合わせにより、種々の軒樋吊り具１を形成することができる。たとえば、図３に示したように、図１に示した後耳係止体１０に、図１に示した前耳係止体２０とは長手寸法の異なる前耳係止体２０を結合させることもできる。これにより、後耳係止体１０を共通部材として、図１（ｂ）に示した軒樋２よりも幅寸法の大きな軒樋２を取り付けることができる。
【００３５】
ようするに、前耳係止体２０と後耳係止体１０との組み合わせにより、種々の形状、寸法の軒樋２に対応することができる。また、たとえば寸法や形状が同じ軒樋２であっても、軒樋２を、安価でかつ簡易な構造の後耳係止構造の軒樋吊り具に取り付けることもできるし、高価でかつより外れにくい構造の後耳係止構造の軒樋吊り具に取り付けることもできる。
【００３６】
ついで、係止部と被係止部とによる係止構造の他の例について、図４（ａ）、（ｂ）を参照しながら説明する。
【００３７】
図４に示した軒樋吊り具１は、図１のものと同様、前耳係止体２０の本体部２２に凸部２３が形成され、後耳係止体１０の本体部１２に凸部２３と嵌合する凹部１３が形成されている。
【００３８】
この軒樋吊り具１は、係止部として、凸部２３の先端に外周方向に突出した環状の突片２５ｂを備えている。また、被係止部として、凹部１３の底部近傍に、突片２５ｂを係止する掛凹所１５ｂが形成されている。なお、突片２５ｂには、凸部２３を凹部１３にスムーズに挿着できるようにガイド面２５ｂａが形成されている。
【００３９】
両係止体は、相互の嵌合により結合する。凸部２３の先端には突片２５ｂが形成されているため、凸部２３の圧入により凹部１３に嵌合する。凸部２３が凹部１３に根元まで挿入されると、突片２５ｂが掛凹所１５ｂに引っ掛かるため、凸部２３は抜けなくなる。
【００４０】
このように、いったん結合すると固定状態が維持され、分離できなくなるため、使用状態において、軒樋２の重量などの負荷がかかっても、両係止体が分離されるおそれはなく、安全に使用することができる。
【００４１】
以上に説明した実施形態の軒樋吊り具１では、前耳係止体２０が凸部２３を備え、後耳係止体１０が凹部１３を備えた構成となっているが、前耳係止体２０が凹部を備え、後耳係止体１０が凸部を備えた構成としてもよい。また、後耳係止体１０が係止部を備え、前耳係止体２０が被係止部を備えた構成としてもよい。
【００４２】
なお、図１や図３に示した係止部（ばね状係止片２５ａ、突片２５ｂ）や被係止部（係止穴部１５ａ、掛凹所１５ｂ）などを設けずに、圧入により両係止体を相互に固定する構造としてもよい。そうすれば、より簡易な構造とすることができ、製造コストを低減化できる。
【００４３】
つぎに、本発明の他の実施形態に係る軒樋吊り具について、図５（ａ）、（ｂ）を参照しながら説明する。なお、前耳係止体２０の前耳係止部２１、後耳係止体１０の後耳係止部１１および軒樋２の吊り支持の使用態様については図１のものと同様であるため、それらを含む全体図およびその説明は省略する。
【００４４】
この軒樋吊り具１を構成する前耳係止体２０および後耳係止体１０は、それぞれの本体部が凸部２３、１４と凹部２４、１３の両方を備えている。図５（ａ）に示すように、両係止体のそれぞれは、半円柱状と凸部２３、１４と、相手側の凸部１４、２３が挿入される凹部２４、１３とを備えた構造となっている。
【００４５】
また、一方（図例では後耳係止体１０）の凸部１４には、相手側の凸部２３と隣接する面に係止部（係止突部１５ｃ）が設けられており、他方（図例では前耳係止体２０）の凹部２４の壁面には、係止突部１５ｃを受け入れる被係止部（係止受部２５ｃ）が形成されている。
【００４６】
このように、前耳係止体２０および後耳係止体１０のそれぞれが凸部２３、１４と凹部２４、１３の両方を備えているため、結合したときの一体感を向上させることができる。また、係止部と被係止部とによる係止構造を有しているため、両部材の固定も行える。
【００４７】
なお図例では、係止突部１５ｃにはガイド面１５ｃａが形成されているため、凸部２３、１４を凹部２４、１３にスムーズに挿着することができる。
【符号の説明】
【００４８】
１          軒樋吊り具
２          軒樋
２ｂ        後耳
２ｄ        前耳
３          壁（建築構造物）
１０        後耳係止体
１１        後耳係止部
１２        本体部
１３        凹部
１４        凸部
１５ａ      係止穴部（係止部）
１５ｂ      掛凹所（係止部）
１５ｃ      係止突部（係止部）
１７        固定部
２０        前耳係止体
２１        前耳係止部
２２        本体部
２３        凸部
２４        凹部
２５ａ      ばね状係止片（係止部）
２５ａａ    鉤片
２５ｂ      突片（係止部）
２５ｃ      係止受部（係止部）
【図１】
2015045146.tif 000003
【図２】
2015045146.tif 000004
【図３】
2015045146.tif 000005
【図４】
2015045146.tif 000006
【図５】
2015045146.tif 000007
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
軒樋の前耳を係止する前耳係止体と、軒樋の後耳を係止する後耳係止体とを備え、建築構造物に固定されるようにした軒樋吊り具であって、
前記前耳係止体と前記後耳係止体とは別体とされており、
前記前耳係止体が軒樋吊り具の長手方向に突出した半円柱状の凸部と、凹部とを備え、前記後耳係止体が前記前耳係止体の凸部に対応した凹部と、前記前耳係止体の凹部に対応した、軒樋吊り具の長手方向に突出した半円柱状の凸部とを備えて、前記凸部と前記凹部とが嵌合する結合構造となっており、
前記前耳係止体および前記後耳係止体のうちの一方の前記凸部に係止突部を備え、他方の前記凹部に係止受部を備え、前記係止突部が前記係止受部に係止することにより、前記前耳係止体と前記後耳係止体とが相互に固定されることを特徴とする軒樋吊り具。
【手続補正２】
【補正対象書類名】明細書
【補正対象項目名】全文
【補正方法】変更
【補正の内容】
【発明の詳細な説明】
【技術分野】
【０００１】
本発明は、軒樋を吊り支持する軒樋吊り具に関する。
【背景技術】
【０００２】
従来の軒樋吊り具は、軒樋の前耳を係止する前耳係止部と、軒樋の後耳を係止する後耳係止部とを一体に備え、それらの相対的な位置関係が定まった構成となっている（たとえば、特許文献１参照）。つまり、形状、寸法の異なる種々の軒樋に対応して個別の軒樋吊り具が用いられることが通例となっている。
【先行技術文献】
【特許文献】
【０００３】
【特許文献１】特開２００９−１０８４７１号公報
【発明の概要】
【発明が解決しようとする課題】
【０００４】
しかしながら、軒樋には耳を含む全体の形状、寸法の種々異なる数多くの種類があり、それら数多くの種類の軒樋に対応して軒樋吊り具を生産することは、生産ラインの増大化につながるため、生産面やコスト面において決して効率的とはいえない。
【０００５】
本発明は、このような事情を考慮して提案されたもので、その目的は、形状、寸法の異なる種々の軒樋に対応できる軒樋吊り具を提供することにある。
【課題を解決するための手段】
【０００６】
上記目的を達成するために、請求項１に記載の軒樋吊り具は、軒樋の前耳を係止する前耳係止体と、軒樋の後耳を係止する後耳係止体とを備え、建築構造物に固定されるようにした軒樋吊り具であって、前耳係止体と前記後耳係止体とは別体とされており、前耳係止体が軒樋吊り具の長手方向に突出した半円柱状の凸部と、凹部とを備え、前耳係止体が前耳係止体の凸部に対応した凹部と、前耳係止体の凹部に対応した、軒樋吊り具の長手方向に突出した半円柱状の凸部とを備えて、凸部と凹部とが嵌合する結合構造となっており、前耳係止体および後耳係止体のうちの一方の凸部に係止突部を備え、他方の凹部に係止受部を備え、係止突部が係止受部に係止することにより、前耳係止体と後耳係止体とが相互に固定されることを特徴とする。
【０００７】
（削除）
【０００８】
（削除）
【発明の効果】
【０００９】
請求項１に記載の軒樋吊り具によれば、上述の構成となっているため、簡易な操作で軒樋吊り具を使用可能な状態に形成できる。また、前耳係止体と後耳係止体との組み合わせにより、種々の形状、寸法の軒樋に対応することができる。
【００１０】
たとえば、後耳の形状が同一で前耳の形状が異なる複数種の軒樋に対応させて、個別に軒樋吊り具を製造する必要はなく、共通の後耳係止体にそれぞれの軒樋の前耳の形状に合致した前耳係止体を組み合わせて軒樋吊り具を構成すればよい。前耳の形状が同一の複数種の軒樋についても同様である。つまり、部材を共通化できるので生産面やコスト面での効率化を図れる。
【００１１】
また、軒樋吊り具の長手方向に突出した凸部と、それに対応した凹部との雌雄嵌合により結合される構造となっているため、軒樋吊り具を使用可能な状態にするのに手間がかからない。後耳係止体を建築構造物に取り付けてから、その後耳係止体に前耳係止体を結合させることもできる。
【００１２】
さらに、係止部が被係止部に係止する構造であるため、結合後にはしっかりと固定でき、係止体間のずれの発生を防止できる。
【図面の簡単な説明】
【００１３】
【図１】本発明の一実施形態（参考例）に係る軒樋吊り具の概略側面図である。（ａ）は結合前の状態を示した図、（ｂ）は使用可能な状態を示した図である。
【図２】（ａ）は軒樋吊り具の結合前の状態を示した要部斜視図、（ｂ）は結合過程を示した要部横断面図、（ｃ）は結合状態を示した要部横断面図である。
【図３】前耳係止体と後耳係止体の他の組み合わせ例を示す概略側面図である。
【図４】軒樋吊り具の他の結合構造（参考例）を示した要部横断面図である。（ａ）は結合前の状態を示した図、（ｂ）は使用可能な状態を示した図である。
【図５】本発明の他の実施形態（実施例）に係る軒樋吊り具の要部（結合構造）の説明図である。（ａ）は結合前を示した斜視図、（ｂ）は結合状態を示した要部横断面図である。
【発明を実施するための形態】
【００１４】
以下に、本発明の実施の形態について、添付図面を参照して説明する。
【００１５】
図１〜図３は、本発明の一実施形態（参考例）に係る軒樋吊り具の説明図である。
【００１６】
本軒樋吊り具１に支持される軒樋２には、吊り支持される被支持部として、軒先側（後方）の後方壁２ａの上端に後耳２ｂが設けられ、前方壁２ｃの上端に前耳２ｄが設けられている（図１（ｂ）参照）。
【００１７】
軒樋吊り具１は、図１（ｂ）に示すように、軒先の壁３などの建築構造物に固定されて、軒樋２を吊り支持するものであり、軒樋２の後耳２ｂを係止する後耳係止体１０と、前耳２ｄを係止する前耳係止体２０とを結合、一体化することで使用状態に形成できるものである。
【００１８】
本実施形態のものは、前耳係止体２０、後耳係止体１０のいずれも合成樹脂で成形されている。なお、それらは金属で形成したものでもよいし、一部に金属を含んだ構成としたものでもよい。
【００１９】
前耳係止体２０は、前耳係止部２１と、その後方に配された、後耳係止体１０と連結される本体部２２とを一体に備えている。
【００２０】
本体部２２は、角柱状に形成されており、その後端には、後端端面より後方に突出した円柱状の凸部２３を備えている。また、本体部２２の横方向の両側面には、後方に延びた一対のばね状係止片２５ａを備えている。ばね状係止片２５ａの先端（後端）には、本体部２２側に向いて突出した鉤片２５ａａが形成されている。このばね状係止片２５ａは、前耳係止体２０が後耳係止体１０と結合したときに相互に固定するための、後耳係止体１０の被係止部に係止する係止部を構成する。
【００２１】
前耳係止部２１は、本体部２２の前端より斜め上方に延びるように本体部２２と一体に形成されており、その先端にはほぼ真上に向けて突出した係止突片２１ａが形成されている。
【００２２】
一方、後耳係止体１０は、後耳係止部１１と、前耳係止体２０と連結される本体部１２と、後耳係止部１１の後方に配された、後耳係止体１０を軒先の壁などに固定するための固定部１７とを備えている。
【００２３】
本体部１２は、角柱状に形成されており、その前端の端面には、前耳係止体２０の円柱状の凸部２３を受け入れるための凹部１３が形成されている。また、本体部１２の両側面には、前耳係止体２０のばね状係止片２５ａの鉤片２５ａａを受け入れる係止穴部１５ａが開設されている。この係止穴部１５ａが係止部（ばね状係止片２５ａ）に対応した被係止部を構成する。
【００２４】
後耳係止部１１は、裏側に凹所１１ｄを有し、下方に開口した形状とされており、本体部１２とほぼ平行な頂面部１１ａと、その頂面部１１ａの前後端より下方に延びた前側壁部１１ｂ、後側壁部１１ｃとを有した形状となっている。この後側壁部１１ｃは固定部１７を兼ねている。
【００２５】
凹所１１ｄには、軒樋２の後耳２ｂを受け支持する耳受け突片１１ｅと、後耳２ｂを前方より押さえる前側押さえばね片１１ｆと、後耳２ｂを上方より押さえる上側押さえばね片１１ｇとが形成されている。なお、前側押さえばね片１１ｆと上側押さえばね片１１ｇとを一体化してなる別体の金属等の板ばね片を凹所１１ｄに取り付けた構成としてもよい。
【００２６】
耳受け突片１１ｅは、後側壁部１１ｃの上下方向のほぼ中央に形成され、上向きに突出している。図１（ｂ）に示すように、軒樋２の後耳２ｂは耳受け突片１１ｅに載せ置かれ、前側押さえばね片１１ｆで前方より押さえられ、上側押さえばね片１１ｇで上方より押さえられて位置がずれないように固定される。
【００２７】
また、前側押さえばね片１１ｆの下端には、前方に開いたガイド部１１ｆａが形成され、ガイド部１１ｆａの前面にはリブ１１ｆｂが形成されている。後耳２ｂを凹所１１ｄに下方より挿入する際に、後耳２ｂがガイド部１１ｆａの下面に当たりながら前側押さえばね片１１ｆが前方に弾性変形して、挿入開口が拡大されるようになっている。後耳２ｂの全体が凹所１１ｄに挿入されると、前側押さえばね片１１ｆは弾性復帰し、後耳２ｂを前方より押さえるとともに、挿入開口を小さくして後耳２ｂが抜け落ちないようになる。
【００２８】
前耳係止体２０と後耳係止体１０とは、図２（ａ）〜（ｃ）に示すように、凸部２３を凹部１３に挿入嵌合することで結合する。ばね状係止片２５ａは、両係止体が結合する際に、外側に弾性的に開いた状態で鉤片２５ａａが後耳係止体１０の本体部１２の横方向の側面を摺りながら後耳係止体１０の後端方向に相対移動し（図２（ｂ）参照）、鉤片２５ａａが係止穴部１５ａに入り込んだときに弾性復帰する（図２（ｃ）参照）。この鉤片２５ａａと係止穴部１５ａとの係止により、前耳係止体２０と後耳係止体１０とは相互に固定される。
【００２９】
このように両部材が連結され、固定部１７が壁３に固定された軒樋吊り具１には、上述したように、軒樋２の前耳２ｄが前耳係止部２１の係止突片２１ａに掛止され、後耳２ｂが後耳係止部１１に係止されて、軒樋２は吊り支持される。また、軒樋２の前耳２ｄの下部には後方への凹み段部２ｅがあり、前耳２ｄが係止突片２１ａに係止されることで、軒樋２の前部で係止突片２１ａを上下より挟み込む形となって、下方からの押圧によっても外れにくくできる。
【００３０】
以上のように、この軒樋吊り具１は前耳係止体２０と後耳係止体１０とを結合、一体化して使用される構成であるため、分離した状態でコンパクトに保管、輸送でき、必要なときに簡単に組み立てることができる。
【００３１】
特に、本実施形態の軒樋吊り具１は、両係止体の軒樋吊り具１の長手方向の嵌合により結合される構成であるため、簡易な操作で軒樋吊り具１を使用可能な状態とすることができる。また、後耳係止体１０を建築構造物に取り付けてから、その後耳係止体１０に前耳係止体２０を結合させることもできる。
【００３２】
また、軒樋吊り具１は、係止部と被係止部との係止により両係止体が相互に固定されるようになっているので、軒樋２の支持具として使用している間に、両部材が外れたり、ずれたりすることを防止できる。
【００３３】
さらに、本実施形態では係止部がばね状係止片２５ａで構成されているため、ばね状係止片２５ａを外側に開いて引き離す操作をすれば、いったん結合固定した両係止体を分離することもできる。
【００３４】
以上のように、両係止体を結合することで軒樋吊り具１を使用可能な状態に形成できるので、凸部２３と凹部１３との雌雄嵌合構造を共通化することで、前耳係止体２０および後耳係止体１０の種々の組み合わせにより、種々の軒樋吊り具１を形成することができる。たとえば、図３に示したように、図１に示した後耳係止体１０に、図１に示した前耳係止体２０とは長手寸法の異なる前耳係止体２０を結合させることもできる。これにより、後耳係止体１０を共通部材として、図１（ｂ）に示した軒樋２よりも幅寸法の大きな軒樋２を取り付けることができる。
【００３５】
ようするに、前耳係止体２０と後耳係止体１０との組み合わせにより、種々の形状、寸法の軒樋２に対応することができる。また、たとえば寸法や形状が同じ軒樋２であっても、軒樋２を、安価でかつ簡易な構造の後耳係止構造の軒樋吊り具に取り付けることもできるし、高価でかつより外れにくい構造の後耳係止構造の軒樋吊り具に取り付けることもできる。
【００３６】
ついで、係止部と被係止部とによる係止構造の他の例について、図４（ａ）、（ｂ）を参照しながら説明する。
【００３７】
図４に示した軒樋吊り具１は、図１のものと同様、前耳係止体２０の本体部２２に凸部２３が形成され、後耳係止体１０の本体部１２に凸部２３と嵌合する凹部１３が形成されている。
【００３８】
この軒樋吊り具１は、係止部として、凸部２３の先端に外周方向に突出した環状の突片２５ｂを備えている。また、被係止部として、凹部１３の底部近傍に、突片２５ｂを係止する掛凹所１５ｂが形成されている。なお、突片２５ｂには、凸部２３を凹部１３にスムーズに挿着できるようにガイド面２５ｂａが形成されている。
【００３９】
両係止体は、相互の嵌合により結合する。凸部２３の先端には突片２５ｂが形成されているため、凸部２３の圧入により凹部１３に嵌合する。凸部２３が凹部１３に根元まで挿入されると、突片２５ｂが掛凹所１５ｂに引っ掛かるため、凸部２３は抜けなくなる。
【００４０】
このように、いったん結合すると固定状態が維持され、分離できなくなるため、使用状態において、軒樋２の重量などの負荷がかかっても、両係止体が分離されるおそれはなく、安全に使用することができる。
【００４１】
以上に説明した実施形態の軒樋吊り具１では、前耳係止体２０が凸部２３を備え、後耳係止体１０が凹部１３を備えた構成となっているが、前耳係止体２０が凹部を備え、後耳係止体１０が凸部を備えた構成としてもよい。また、後耳係止体１０が係止部を備え、前耳係止体２０が被係止部を備えた構成としてもよい。
【００４２】
なお、図１や図３に示した係止部（ばね状係止片２５ａ、突片２５ｂ）や被係止部（係止穴部１５ａ、掛凹所１５ｂ）などを設けずに、圧入により両係止体を相互に固定する構造としてもよい。そうすれば、より簡易な構造とすることができ、製造コストを低減化できる。
【００４３】
つぎに、本発明の他の実施形態（実施例）に係る軒樋吊り具について、図５（ａ）、（ｂ）を参照しながら説明する。なお、前耳係止体２０の前耳係止部２１、後耳係止体１０の後耳係止部１１および軒樋２の吊り支持の使用態様については図１のものと同様であるため、それらを含む全体図およびその説明は省略する。
【００４４】
この軒樋吊り具１を構成する前耳係止体２０および後耳係止体１０は、それぞれの本体部が凸部２３、１４と凹部２４、１３の両方を備えている。図５（ａ）に示すように、両係止体のそれぞれは、半円柱状と凸部２３、１４と、相手側の凸部１４、２３が挿入される凹部２４、１３とを備えた構造となっている。
【００４５】
また、一方（図例では後耳係止体１０）の凸部１４には、相手側の凸部２３と隣接する面に係止部（係止突部１５ｃ）が設けられており、他方（図例では前耳係止体２０）の凹部２４の壁面には、係止突部１５ｃを受け入れる被係止部（係止受部２５ｃ）が形成されている。
【００４６】
このように、前耳係止体２０および後耳係止体１０のそれぞれが凸部２３、１４と凹部２４、１３の両方を備えているため、結合したときの一体感を向上させることができる。また、係止部と被係止部とによる係止構造を有しているため、両部材の固定も行える。
【００４７】
なお図例では、係止突部１５ｃにはガイド面１５ｃａが形成されているため、凸部２３、１４を凹部２４、１３にスムーズに挿着することができる。
【符号の説明】
【００４８】
１          軒樋吊り具
２          軒樋
２ｂ        後耳
２ｄ        前耳
３          壁（建築構造物）
１０        後耳係止体
１１        後耳係止部
１２        本体部
１３        凹部
１４        凸部
１５ａ      係止穴部（被係止部）
１５ｂ      掛凹所（被係止部）
１５ｃ      係止突部（係止部）
１７        固定部
２０        前耳係止体
２１        前耳係止部
２２        本体部
２３        凸部
２４        凹部
２５ａ      ばね状係止片（係止部）
２５ａａ    鉤片
２５ｂ      突片（係止部）
２５ｃ      係止受部（被係止部）